(57)【要約】【課題】卓上等所定位置に定着しやすく、片手で手軽に筆記および消去ができ、メッセージの書き置き用具として好適かつ手頃であって、廃棄物を産出することもない陶磁製メモ書きを提供する。【解決手段】本考案の陶磁製メモ書き１は、上面に筆記面２を備えた卓上載置型メモ書きであって、筆記面２は水性ペン２０にて書き込み可能で、かつ水性ペン２０のインクを拭き取ることにより消去可能な釉薬面にて形成されている。このように、本考案の陶磁製メモ書き１は陶磁製品であるため、ある程度の重量を有しており、卓上等所定位置に定着しやすく、反復して筆記および消去が可能でメッセージの書き置き用具として好適かつ手頃であって紙などの廃棄物を産出することもない。【選択図】図１
0003110516.tif 000002
【実用新案登録請求の範囲】
【請求項１】
上面に筆記面を備えた卓上載置型メモ書きであって、前記筆記面は水性ペンにて書き込み可能で、かつ前記水性ペンのインクを拭き取ることにより消去可能な釉薬面にて形成されていることを特徴とする陶磁製メモ書き。
【請求項２】
前記陶磁製メモ書きは、水性ペン配置用凹状部を有している請求項１に記載の陶磁製メモ書き。
【請求項３】
前記陶磁製メモ書きは、水性ペンの一端を挿入して起立状態で保持するための水性ペン起立状態保持部を有している請求項１に記載の陶磁製メモ書き。
【請求項４】
前記陶磁製メモ書きは、水性ペンを備え、該水性ペンは、該水性ペンのインクを拭き取るためのインク拭き取り部を備えている請求項１ないし３のいずれかに記載の陶磁製メモ書き。
【考案の詳細な説明】
【技術分野】
【０００１】
本考案は、繰り返して筆記または消去が可能な陶磁製メモ書きに関するものである。
【背景技術】
【０００２】
従来より、メモをとったり、メッセージを書き置きする場合、紙製のメモ帳が一般的に多用されている。
このようなメモ帳を使用する場合は、通常、メモ書きする頁を開いて片手で紙面を軽く押圧しながらその内容を筆記している。また、メッセージとして書き置きする場合は、筆記したメモ帳を卓上等に載置して使用している。そして、用済みとなったメモ用紙はメモ帳より切り離して廃棄処分している。
【０００３】
しかし、紙製のメモ帳は軽量で持ち運び容易であることが利点である反面、所定の位置に定着しづらく、使用の都度、メモ帳を探すことが多い。また、軽量故に筆記の際は一方の手で紙面を押さえながら使用することが多い。さらに、用済みのメモ用紙はゴミとなって廃棄処分されている。
【考案の開示】
【考案が解決しようとする課題】
【０００４】
本願考案者は、上記問題点を一挙に解決する素材として陶磁器に着眼したものであり、すなわち、本考案の課題は、ある程度の重量を有するため卓上等所定位置に定着しやすく、片手で手軽に筆記および消去ができ、メッセージの書き置き用具として好適かつ手頃であって、廃棄物を産出することもない陶磁製メモ書きを提供することにある。
【課題を解決するための手段】
【０００５】
上記課題を解決するものは、上面に筆記面を備えた卓上載置型メモ書きであって、前記筆記面は水性ペンにて書き込み可能で、かつ前記水性ペンのインクを拭き取ることにより消去可能な釉薬面にて形成されていることを特徴とする陶磁製メモ書きである。
【０００６】
前記陶磁製メモ書きは、水性ペン配置用凹状部を有していることが好ましい。前記陶磁製メモ書きは、水性ペンの一端を挿入して起立状態で保持するための水性ペン起立状態保持部を有していてもよい。前記陶磁製メモ書きは、水性ペンを備え、該水性ペンは、該水性ペンのインクを拭き取るためのインク拭き取り部を備えていることが好ましい。前記陶磁製メモ書きは、小物を載置するための小物載置部を有していることが好ましい。
【考案の効果】
【０００７】
請求項１に記載の考案によれば、ある程度の重量を有するため卓上等所定位置に定着しやすく、片手で手軽に筆記および消去ができ、メッセージの書き置き用具として好適かつ手頃であって、紙などの廃棄物を産出することもない。
請求項２に記載の考案によれば、上記請求項１の効果に加え、水性ペンを常備できてより利便性の高いメモ書きとなる。
請求項３に記載の考案によれば、上記請求項１の効果に加え、水性ペンをより把持しやすいメモ書きとなる。
請求項４に記載の考案によれば、上記請求項１ないし３の効果に加え、予め水性ペンを備え、さらに水性ペンがインク拭き取り部を有しているため、筆記および消去の利便性がより高いメモ書きとなる。
【考案を実施するための最良の形態】
【０００８】
本考案の陶磁製メモ書き１は、上面に筆記面２を備えた卓上載置型メモ書きであって、筆記面２は水性ペン２０にて書き込み可能で、かつ水性ペン２０のインクを拭き取ることにより消去可能な釉薬面にて形成されていることを主要な特徴とするものである。
【実施例１】
【０００９】
まず、図１に示した本考案の陶磁製メモ書き１の構成を図面を用いて順次詳述する。
本考案の陶磁製メモ書き１は、卓上載置型のメモ書きであって、テーブル、机または下駄箱の上などに載置して使用するものである。一般的に市販されているメモ帳程度の寸法に形成されており、所定の位置に載置しておけばよく、メモ書きやメッセージの書き置き用具として、例えば壁掛け式ボード等に比して低廉でかつ使い勝手がよく手頃である。
【００１０】
陶磁製メモ書き１の形成材料としては、長石、珪石、陶石、粘土など一般的な陶磁原料が使用されている。その製造方法としては、陶磁器原料を混練した後、鋳込みや轆轤などで成形を行い、素焼きをした後、絵付けおよび施釉して本焼成する工程を経て作製されている。
【００１１】
陶磁製メモ書き１の形態は、一般的なメモ帳の擬態に形成されており、すなわち、平面視矩形で1ｃｍ強の厚みを備えた小冊子様の形態に形成されている。ただし、本考案の陶磁製メモ書きは、このような形態に限定されるものではなく、後述するような筆記面を備えるものであれば外観形態はどのようなものでもよく、この実施例のように基本形態が板状体または盤状体なものの他、より立体的形態、例えば書籍を見開いたような形態のものなども本考案の範疇に包含される。
【００１２】
このように、本考案のメモ書きは、陶磁製であるため成形性に富み所望形態に成形容易である。また、ある程度の重量を有しているため、配置した所定位置に定着しやすく、筆記中にメモ書き自体が動くことなく片手で手軽に筆記でき、さらに、紙などの廃棄物を産出することもなく、保存すべき書類の上に載置してペーパーウェイトとしても使用できる。
【００１３】
陶磁製メモ書き１の上面には、筆記面２が形成されており、この筆記面２は水性ペン２０にて書き込み可能で、かつ水性ペン２０のインクを拭き取ることにより消去可能な釉薬面にて形成されている。
【００１４】
このような釉薬面は、釉薬原料中に釉薬層の表面がより平滑となる原料を添加することにより実現できるが、例えば、そのような原料しては、長石、炭酸リチウムなどのアルカリ原料、マグネサイト、タルク、石灰石、炭酸ストロンチウム、炭酸バリウムなどのアルカリ土類原料、または亜鉛華などが好適に使用できる。さらに、より平滑な釉薬面を形成するために、釉薬原料の粒度をより細かくすることが好ましい。
【００１５】
なお、この実施例の筆記面２には、複数の罫線３と「ｍｅｍｏ」の文字４が絵付け段階で描かれているが、筆記面の態様はこれに限定されるものではなく、水性ペンにて書き込み可能で、かつ水性ペンのインクを拭き取ることにより消去可能なものであれば、どのような態様のものも本考案の範疇に包含される。また、この実施例の陶磁製メモ書き１は、筆記面２のみならず、ほぼ全表面が同様な釉薬面にて形成されているが、少なくとも筆記面が、水性ペンにて書き込み可能で、かつ水性ペンのインクを拭き取ることにより消去可能な釉薬面にて形成されたものは広く本考案の範疇に包含される。さらに、この実施例の筆記面２は、罫線３部分が若干凹状部に形成されているが、凹凸なく平面であるもの、若干曲面を有するものなども本考案の範疇に包含される。さらに、この実施例の筆記面２は、卓上等に載置した状態で略水平面となるように形成されているが、載置された状態で傾斜面、特に筆記者が位置する側に下降するように傾斜面に形成されたものなども本考案の範疇に包含される。
【００１６】
また、この実施例の筆記面２に隣接する上面部位（図１中、筆記面２の上部）には、例えば鍵などの小物を載置可能な小物載置用凹部５が設けられている。
【００１７】
さらに、この実施例の陶磁製メモ書き１の上面（図１中、最上部付近）には、水性ペン配置用凹状部６が設けられており、水性ペンを定位置に配置可能となっている。
【００１８】
この水性ペン配置用凹状部６には、水性ペン２０が常備されており水性ペン２０が常時使用可能となっている。なお、この水性ペン２０は、ペン先２１ａを備えたペン本体２１と、水性ペンのインクを拭き取るためのインク拭き取り部２３を一端側に挿嵌したキャップ２２とからなっている。
【００１９】
インク拭き取り部２３の形成材料としては、フエルトなどの不織布が好適に使用できるが、筆記面２に描かれた文字などは、指で擦っても容易に消去できるため、筆記面２を擦ることができるものであればどのようなもので形成されていてもよい。
【００２０】
つぎに、図１に示した陶磁製メモ書き１の使用方法について説明する。
この陶磁製メモ書き１は、図１に示した状態でテーブルなどに載置して使用する。保存すべき書類などを入手した場合は、その書類の上に陶磁製メモ書き１を載置してペーパーウェイトとしても使用できる。そして、書き置きなどを筆記する場合は、水性ペン配置用凹状部６に配されている水性ペン２０を把持し、キャップ２２をペン本体２１より取り外して筆記面２に筆記する。筆記物が用済みとなった場合は、インク拭き取り部２３にて文字等を擦って拭き取ることにより容易に消去できる。これら筆記および消去は反復して行うことができ、陶磁製メモ書き１は一時的なメモやメッセージの書き置き用具として好適かつ手頃であって、紙などの廃棄物を産出することもない。
【００２１】
さらに、図２に示した本考案の他の実施例である陶磁製メモ書き１０について説明する。
陶磁製メモ書き１０は、前述した陶磁製メモ書き１との対比において、上面に筆記面２を備えた卓上載置型メモ書きであって、筆記面２は水性ペン２０にて書き込み可能で、かつ水性ペン２０のインクを拭き取ることにより消去可能な釉薬面にて形成され、陶磁材料にて成形され焼成されている点では同様であるが、外観形態および水性ペン２０の保持方法が相違する。以下、相違点について詳述するが、同一構成部分については同一符号を付し説明を省略する。
【００２２】
この実施例の陶磁製メモ書き１０の外観形態は円盤状であり、中心部に隆起部として形成された水性ペン起立状態保持部１１を備えている。この水性ペン起立状態保持部１１は水性ペン２０の一端を挿入することにより、水性ペン２０を起立状態で保持するための部位である。より具体的には、この実施例の水性ペン起立状態保持部１１は、上端に開口部１２を有しており、この開口部１２に水性ペン２０の一端を挿入すると、水性ペン２０を垂直方向に延在させて保持することができる。このように、陶磁製メモ書き１０では、水性ペン２０が上方に向かって突出しているため、使用時により保持し易くなっている。ただし、水性ペンは傾斜状態で保持、特に筆記者側に向かって若干傾斜した状態で起立保持されるものでもよい。また、この実施例では、水性ペン２０の後端側が水性ペン起立状態保持部１１に挿入されているが、水性ペンの先端側（インク拭き取り部２３またはキャップ２２）が水性ペン起立状態保持部１１に挿入されていてもよく、これにより、起立状態がより安定し、かつ筆記時に水性ペンの上下を返る必要がなくより便利である。
【図面の簡単な説明】
【００２３】
【図１】本考案の陶磁製メモ書きの一実施例の斜視図である。
【図２】本考案の陶磁製メモ書きの他の実施例の斜視図である。
【符号の説明】
【００２４】
１    陶磁製メモ書き
２    筆記面
３    罫線
４    文字
５    小物載置部
６    水性ペン配置用凹状部
１１  水性ペン起立状態保持部
２０  水性ペン
【図１】
0003110516.tif 000003
【図２】
0003110516.tif 000004